(57)【要約】ＩＣ設計データファイル中の、厳しい公差付形状の周囲の「近接効果のハロー」を特定するステップが含まれる、リソグラフィー・レチクルの製造を最適化するためのシステム及び方法。ハローの外側の形状及び欠損は、厳しい公差付形状のプリントに著しい影響を及ぼすことはない。レチクルの形成の際に、厳しい公差付形状及び関連するハローが入念に書かれ、且つ精度を確保するべく検査されてもよい一方で、効率性のためにレチクルの別の部分が少ない厳密性で書かれ／検査されてもよい。ハローの幅は、実験的に決定されてもよいし、若しくはプロセスモデリングによって見積もられてもよい。レチクルを書く際に、電子ビーム・ツールが用いられる場合、厳しい公差付形状及びハローを露出させるのに小さなスポットサイズが用いられてもよいのに対して、レチクルの残りの部分を露出させるのに大きなスポットサイズが用いられてもよい。レチクル製造システムには、ＩＣ設計データファイルを読込み、厳しい公差付形状を特定し、更に近接効果ハローを規定するコンピュータが含まれてよい。厳しい公差付形状は、個々に選択されてもよいし、若しくはユーザの仕様に従って自動的にフラグが立てられてもよい。ユーザ入力及び制御を可能にするようにグラフィカル・ユーザインタフェースが提供されてもよい。レチクル製造システムは、ＬＡＮ若しくはＷＡＮを通してリモートＩＣ設計データベースに接続されてもよい。レチクル製造システムは、レチクルデータファイルをレチクル書込みツールに直接送るように接続されてもよい。【特許請求の範囲】
【請求項１】
集積回路（ＩＣ）レイアウト・データファイルからリソグラフィー・レチクルを作るための方法であって、
前記ＩＣレイアウト・データファイルの中の複数のレイアウト形状を特定するステップと、
各々が内側及び外側の境界線を有する複数のハロー領域を画定するステップとを有し、
複数の前記ハロー領域の各々の前記内側境界線は、複数の前記レイアウト形状のうちの対応する形状の前記外側境界線により画定され、複数の前記ハロー領域の各々の前記内側境界線と前記外側境界線とが概ね平行になっていることを特徴とする方法。
【請求項２】
複数の前記ハロー領域の各々が、概ね一定の幅を有することを特徴とする請求項１に記載の方法。
【請求項３】
複数の前記レイアウト形状を特定する前記ステップが、前記ＩＣレイアウト・データファイル内の複数の形状を手動で選択するステップを有することを特徴とする請求項１に記載の方法。
【請求項４】
複数の前記レイアウト形状を特定する前記ステップが、
レイアウト要素を特定するステップと、
前記ＩＣレイアウト・データファイルを走査するステップと、
前記ＩＣレイアウト・データファイルの中で、前記レイアウト要素と合致する位置をフラッギングするステップとを有することを特徴とする請求項１に記載の方法。
【請求項５】
前記レイアウト要素が、トランジスタ・ゲートを有することを特徴とする請求項４に記載の方法。
【請求項６】
前記レイアウト要素が、コンデンサを有することを特徴とする請求項４に記載の方法。
【請求項７】
複数の前記レイアウト形状を特定する前記ステップが、
複数のレイアウト要素を特定するステップと、
前記ＩＣレイアウト・データファイルを走査するステップと、
前記ＩＣレイアウト・データファイルの中で、複数の前記レイアウト要素のうちの合致する１つの位置をフラッギングするステップとを有することを特徴とする請求項１に記載の方法。
【請求項８】
前記ＩＣレイアウト・データファイルが、完成ＩＣ中の単一の処理層と各々が対応する複数の層レイアウトを有し、
複数の前記レイアウト形状を特定する前記ステップが、
レイアウト形状構成を特定するステップと、
複数の前記層レイアウトのうちの第１番目を走査するステップと、
複数の前記層レイアウトのうちの前記第１番目の中で、前記レイアウト形状構成と合致する位置にフラッギングするステップとを有することを特徴とする請求項１に記載の方法。
【請求項９】
前記レイアウト形状構成が、単一層構成を有することを特徴とする請求項８に記載の方法。
【請求項１０】
前記レイアウト形状構成が、複数層構成を有することを特徴とする請求項８に記載の方法。
【請求項１１】
複数の前記層レイアウトのうちの前記第１番目が前記完成ＩＣのポリシリコン層と対応し、
更に、前記複数層構成は、複数の前記層レイアウトのうちの第２番目の中の任意の形状の上に形成された、複数の前記層レイアウトのうちの第１番目の中の形状を有し、複数の前記層レイアウトの前記第２番目は、前記完成ＩＣの拡散層と対応していることを特徴とする請求項１０に記載の方法。
【請求項１２】
複数の前記レイアウト形状を特定する前記ステップが、
前記ＩＣレイアウト・データファイルを走査するステップと、
光学近接効果補正（ＯＰＣ）形状を特定するステップと、
前記ＩＣレイアウト・データファイル中で、前記ＯＰＣ形状と関連する位置をフラッギングするステップとを有することを特徴とする請求項１に記載の方法。
【請求項１３】
複数のハロー領域を画定する前記ステップが、
複数の前記ハロー領域の各々の前記内側境界線を画定するステップと、
複数の前記ハロー領域の各々の前記内側境界線の各端部から、概ね一定の前記幅で平行線を特定するステップと、
複数の前記ハロー領域の各々の各内側境界線の周囲で、前記平行線を結合させるステップとを有することを特徴とする請求項２に記載の方法。
【請求項１４】
概ね一定の前記幅は、
前記リソグラフィー・レチクルを用いるリソグラフィー処理中に及ぼされる近接効果が特定の閾値レベルよりも低くなっている距離になるように規定されることを特徴とする請求項１３に記載の方法。
【請求項１５】
概ね一定の前記幅は、
前記リソグラフィー・レチクルに対するレチクル形成処理中に及ぼされる近接効果が特定の閾値レベルよりも低くなっている距離になるように規定されることを特徴とする請求項１３に記載の方法。
【請求項１６】
概ね一定の前記幅は、
前記リソグラフィー・レチクルを用いるリソグラフィー処理中に及ぼされる近接効果が特定の閾値レベルよりも低くなっている第１距離よりも大きく、
且つ、前記リソグラフィー・レチクルに対するレチクル形成処理中に及ぼされる近接効果が前記特定閾値レベルよりも低くなっている第２距離よりも大きくなるように規定されることを特徴とする請求項１３に記載の方法。
【請求項１７】
前記距離が、測定された近接効果データを用いて、実験的に決定されることを特徴とする請求項１４に記載の方法。
【請求項１８】
概ね一定の開口数（ＮＡ）を有し、且つ概ね一定の波長の露光放射線を用いるリソグラフィー処理中で前記リソグラフィー・レチクルが用いられており、
前記距離が、概ね一定の前記波長を前記ＮＡで割って、その結果にレジスト及びエッチング効果に対する一定の補正因子を乗じることにより見積もられることを特徴とする請求項１４に記載の方法。
【請求項１９】
概ね一定の前記波長が３６５ｎｍであり、且つ前記ＮＡが０．６である場合に、前記距離が約１．５μｍと等しくなることを特徴とする請求項１８に記載の方法。
【請求項２０】
概ね一定の前記波長が２４８ｎｍであり、且つ前記ＮＡが０．６である場合に、前記距離が約１．０μｍと等しくなることを特徴とする請求項１８に記載の方法。
【請求項２１】
５０ｋｅＶ電子ビームのレチクル書込み処理に対して、前記距離が３．０μｍ乃至３．７５μｍの間の距離であることを特徴とする請求項１５に記載の方法。
【請求項２２】
更に、
前記ＩＣレイアウト・データファイルを前記リソグラフィー・レチクルに書込むステップと、
前記リソグラフィー・レチクルを検査するステップと、
前記リソグラフィー・レチクルを修復するステップとを有することを特徴とする請求項１に記載の方法。
【請求項２３】
前記書込みステップが、
第１及び第２のビーム・スポット・サイズを有し、且つ該第１ビーム・スポット・サイズが該第２ビーム・スポット・サイズよりも小さくなっているラスタ走査ツールを用いて実行され、
複数の前記レイアウト形状及び複数の前記ハロー領域と対応する前記リソグラフィー・レチクルの複数部分を、前記第１ビーム・スポット・サイズを用いてラスタ走査するステップと、
前記リソグラフィー・レチクルの残りの部分を前記第２ビーム・スポット・サイズを用いてラスタ走査するステップとを有することを特徴とする請求項２２に記載の方法。
【請求項２４】
前記書込みステップが、
調整可能な電子ビームを生成することが可能なベクトル走査ツールを用いて実行され、
複数の厳しい公差域を画定するように、複数の前記ハロー領域の各々を、複数の前記レイアウト形状のうちの対応する１つと結合させるステップと、
複数の前記厳しい公差域の各々を、調整可能な前記電子ビームにより形成可能な複数の形状のうちの１を各々が有する第１の複数の基本形状に分割するステップと、
前記ＩＣレイアウト・データファイルの残りを、調整可能な前記電子ビームにより形成可能な複数の前記形状のうちの１つを各々が有する第２の複数の基本形状に分割するステップと、
前記第１の複数の基本形状の各々を露光するステップと、
前記第２の複数の基本形状の各々を露光するステップとを有することを特徴とする請求項２２に記載の方法。
【請求項２５】
前記第１の複数の基本形状の各々が、前記ベクトル走査ツールの最小ビーム幅よりも大きいように大きさの設定がされているベース幅より大きな幅を有することを特徴とする請求項２４に記載の方法。
【請求項２６】
ネガティブ・レジスト処理が用いられていて、
複数の前記公差域の各々を分割する前記ステップが、複数の前記レイアウト形状の各々の周囲に、単一の基本形状を形成するステップを有することを特徴とする請求項２４に記載の方法。
【請求項２７】
ポジティブ・レジスト処理が用いられていて、
複数の前記公差域の各々を分割する前記ステップが、複数の前記レイアウト形状の各々の周囲に、概ね形状が類似している基本形状セットを形成するステップを有することを特徴とする請求項２４に記載の方法。
【請求項２８】
前記検査ステップが、
精密検査の第１レベルに従って、複数の前記ハロー領域及び複数の前記レイアウト形状に対応する前記リソグラフィー・レチクルの複数部分を検査するステップと、
精密検査の第２レベルに従って、複数の前記ハロー領域及び複数の前記レイアウト形状に対応しない前記リソグラフィー・レチクルの複数部分を検査するステップとを有し、
精密検査の前記第１レベルは、精密検査の前記第２レベルよりもより厳密であることを特徴とする請求項２２に記載の方法。
【請求項２９】
前記検査ステップが、
複数の前記ハロー領域及び複数の前記レイアウト形状の範囲内にある第１の複数の欠陥と、複数の前記ハロー領域及び複数の前記レイアウト形状の範囲内にない第２の複数の欠陥とを検出し、
前記第１の複数の欠陥を第１修復処理を用いて修復するステップと、
前記第２の複数の欠陥を第２修復処理を用いて修復するステップとを有し、
前記第１修復処理が前記第２修復処理よりもより精密であり、前記第２修復処理の方が前記第１修復処理よりもより高速であることを特徴とする請求項２２に記載の方法。
【請求項３０】
前記第１修復処理が、集束イオンビーム修復処理を有し、前記第２修復処理が、レーザ修復処理を有することを特徴とする請求項２９に記載の方法。
【請求項３１】
集積回路（ＩＣ）レイアウト・データファイルからレチクル・データファイルを作るシステムであって、
前記ＩＣレイアウト・データファイルを読込み、前記ＩＣレイアウト・データファイル中の複数の特定のレイアウト形状を特定し、且つ複数の特定された前記レイアウト形状の各々の周囲に概ね一定の幅を備えたハロー領域を画定するように構成された処理モジュールと、
前記処理モジュールへのユーザ入力及び制御を可能にするために、グラフィカル・ユーザインタフェース（ＧＵＩ）を提供するように構成されたグラフィカル・ディスプレイとを有することを特徴とするシステム。
【請求項３２】
前記処理モジュールが、パーソナルコンピュータを有することを特徴とする請求項３１に記載のシステム。
【請求項３３】
ＬＡＮ（ｌｏｃａｌ ａｒｅａ ｎｅｔｗｏｒｋ）を介して、遠隔のデータベースから前記ＩＣレイアウト・データファイルを受信するように、前記処理モジュールが接続されていることを特徴とする請求項３１に記載のシステム。
【請求項３４】
ＷＡＮ（ｗｉｄｅ ａｒｅａ ｎｅｔｗｏｒｋ）を介して、遠隔のデータベースから前記ＩＣレイアウト・データファイルを受信するように、前記処理モジュールが接続されていることを特徴とする請求項３３に記載のシステム。
【請求項３５】
前記処理モジュールが、レチクル書込みツールに直接接続されていることを特徴とする請求項３３に記載のシステム。
【請求項３６】
前記処理モジュールが、ＬＡＮ（ｌｏｃａｌ ａｒｅａ ｎｅｔｗｏｒｋ）を介して、レチクル書込みツールに前記レチクル・データファイルを送信するように構成されていることを特徴とする請求項３３に記載のシステム。
【請求項３７】
前記処理モジュールが、ＷＡＮ（ｗｉｄｅ ａｒｅａ ｎｅｔｗｏｒｋ）を介して、レチクル書込みツールに前記レチクル・データファイルを送信するように構成されていることを特徴とする請求項３３に記載のシステム。
【請求項３８】
集積回路のレイアウトをウェーハに転写するためのレチクルであって、
厳しい公差付形状が特定された領域と、近接効果ハローとして特定された領域とを備えている少なくとも１つの形状を有することを特徴とするレチクル。
【発明の詳細な説明】
【０００１】
（技術分野）
本発明は、半導体デバイス製造に関するものであり、特に、リソグラフィー処理を用いるレチクルの効率的な製造に関する。
【０００２】
（背景技術）
リソグラフィー・マスク（若しくは「レチクル」）は、集積回路（ＩＣ）の製造に用いられるキー要素である。ＩＣレイアウト・データファイル（通常、最終的なＩＣの金属層、若しくはポリシリコン層等の物理層が表示されたもの）の一部が、レチクルを形成するべくガラスプレート上の薄いクロム層中にエッチングされる。次に、このレチクル・パターン（「レチクル・レイアウト」）は、ウェーハ表面上のフォトレジスト層の上に露光される。最終的に、ウェーハ上面がフォトレジストによって覆われていない領域へと化学的にエッチング除去され、それによりレチクル・レイアウトがウェーハ上に転写される。この転写処理は、リソグラフィーとして知られている。ウェーハ上に形成されるパターン（プリント・レイアウト）の精度は、プロセス収率及び最終的なＩＣの性能の両方に多大な影響を及ぼす。
【０００３】
実際のレチクル形成処理は通常、ブランク・レチクル上のレジスト層にレチクル・パターンを露光するステップ、レジスト・パターンを現像する（即ち、レジスト層の露光された部分若しくは露光されなかった部分を除去する）ステップ、レジスト・パターンをレチクルのクロム層へとエッチングするステップ、クロム・パターンを検査するステップ、及びクロム・パターンで見つけられた何らかの欠陥を修復するステップを含む。
【０００４】
レチクル・パターンをレジスト層に露光するのに、光学的な投影（例えば、レーザビーム・スキャナ）システムが用いられてもよいが、最新の複雑なレイアウトは通常、電子ビーム・スキャナを用いて書込まれる。電子ビーム書込み処理の露光ステップには、２つ主たる技法−ラスタ走査及びベクトル走査が用いられる。ラスタ走査システムでは、レジストの露光される領域に電子ビームを当てながら、スキャナの出力が全レチクルに渡って水平方向の経路で動かされ、各経路の移動後毎に下方向に増加してシフトされる。電子ビームの「スポット・サイズ」は、レチクル・レイアウトの精密なスキャニングを可能にするように小さくされてもよい。しかしながら、スキャニングの処理を迅速化するために、より大きいスポット・サイズが望ましい。それゆえに、従来のラスタ走査書込み処理では、精度と処理能力は、互いに対する折衝がなされる必要がある。ラスタ走査システムの一例として、Ｅｔｅｃ Ｓｙｓｔｅｍ社（Ａｐｐｌｉｅｄ Ｍａｔｅｒｉａｌ社の子会社）製のＭＥＢＥＳファミリーのツール（モデル４０００、４５００、５０００、５５００）がある。
【０００５】
ベクトル走査システムでは、露光される領域に電子ビームが直接、動かされる。最新式のベクトル走査システムでは、定形スポット技法（ｓｈａｐｅｄ ｓｐｏｔ ｔｅｃｈｎｉｑｕｅ）が用いられており、そこでは電子ビームが種々の基本形状（四角形及び三角形）に形成される。露光される領域は、基本形状（四角形及び三角形）に分解され、次に、各基本形状が、露光される基本形状に合致するように形作られた電子ビームによるシングル・ショットで露光される。書込みツールがレチクル全体を走査する必要がないので、ベクトル走査はラスタ走査よりも効率的であり得る。それゆえに、低密度レイアウトは、ラスタ走査システムよりもベクトル走査システムを用いる方が、より高速に書込まれることとなる。しかしながら、高密度で多数の形状を個別にターゲティングする場合、複雑なレイアウトによって、ラスタ走査システムよりもベクトル走査システムの方が、レイアウトの書込みにより時間がかかってしまう可能性がある。更に、ラスタ走査と同様に、ベクトル走査システムにおいてもビームのスポット・サイズの選択でも、精度と処理能力との折衝がなされる必要がある。ベクトル走査システムの例には、ＪＥＯＬ社製のＪＢＸ−６００ＦＳ、Ｌｅｉｃａ Ｌｉｔｈｏｇｒａｐｈｙ Ｓｙｓｔｅｍｓ社製のＶｅｃｔｒｏｂｅａｍ、及び日立社製のＨＬ−８００、ＨＬ−９００、及びＨＬ−９５０が含まれる。
【０００６】
レジスト層が露光された後、レジスト・パターンが現像される。ネガティブ・レジストは、放射線若しくは電子ビームの露光によって、不溶性の状態に変換され、更に、現像処理により、レジスト層の露光されていない部分が全て除去される。ポジティブ・レジストを露光する場合は、レジストが不溶性の状態から可溶性の状態に変換され、次に、現像処理によって、レジスト層の露光された部分が全て除去される。次に、レチクルのクロム層が、レジスト層に形成されたパターンを通してエッチングされ、その後、残っているレジストがレチクルから取除かれる。
【０００７】
次に、ＩＣレイアウトがレチクルに適切に書込まれたことを確かめるべく、検査ツールによって検査がなされる。マスクの光学的イメージは、期待する出力がより精密に描写されるように修正可能な、原型のＩＣレイアウトデータと対照して検査される。代替的に、複数の同一ダイ・レイアウトを有するレチクルに対しては、個々のダイ・レイアウトの光学的イメージを互いと対照させて比較してもよい。比較方法の内容に関係なく、検査感度（即ち、検査が実行される際の精度）が、検査処理のキー・パラメータである。通常はレチクル全体が検査されるため、検査感度が高いことによって、処理完了に要する時間が非常に増大する可能性がある。低い検査感度は、検査時間が減少し得るが、レチクル・レイアウトの中にある欠陥若しくはズレを見落とす可能性がある。それゆえに、従来の検査方法は、検査感度と効率との間の折衝という問題に直面する。
【０００８】
最終的には、検査処理の際に検出された欠陥及びズレは、修正される。レーザ・ツール（レーザ・ザッピング若しくはレーザ・アシスト蒸着）が、迅速な修正のためによく用いられるが、集束イオンビーム・ツールを用いると、精度のより高い、だが時間がよりかかる、修正が得られる。
【０００９】
図１は、Ｇｌａｓｓｅｒらによる、１９９９年１２月１７日に提出されたＰＣＴ特許出願第ＰＣＴ／ＵＳ９９／３０２４０号で説明されているような、これらのマスク製造及び検査の問題を処理する試みとして提案された方法が示されている。図１は、拡散領域１１０及びポリシリコン領域１２０を有する、原型となるＩＣレイアウトの一部を示している。ポリシリコン領域１２０のクリティカル領域１３０が、ポリシリコン領域１２０の拡散領域１１０の上に位置する領域として特定されている。ポリシリコン領域１２０と、拡散領域１１０との、この重なり部分は、最終的なＩＣデバイスに形成されるトランジスタのゲートを示している。最終的なＩＣのキーとなる形状として、ゲートが高精度であることが必要であり、それにより最終的なＩＣデバイス中のトランジスタの適切な性能が保証される。しかしながら、ＩＣレイアウトのその他の形状は、寸法に関して、さほど高精度である必要はない。例えば、相互接続部分及び接触パッドは、デバイスの性能にほとんど影響を与えることなく、トランジスタのゲートよりも広い公差域を占有することが可能である。従って、領域１３０のようなクリティカル領域にフラッギングすることにより、マスク製造及び／又は検査の際に、それらの領域に対して直接的に格別の注意を払う（例えば、非常に高い検査感度にする）ことが可能となる。次に、処理能力を向上させるように、厳密性の少ない規格（例えば、より低い検査感度）が残りの領域に適用されてもよい。それゆえに、Ｇｌａｓｓｅｒらは、高収率レチクル（即ち、最終的なＩＣにおけるクリティカル形状を精度よく且つ満遍なく生じるレチクル）を効率的に形成する試みをしている。
【００１０】
しかしながら、原型ＩＣレイアウトの特定部分が、最終的なＩＣデバイスのキー形状と一致している場合でも、キー形状の実際の製造は、通常、レチクル中のＩＣレイアウトの特定部分でまさしく表現されるもの以外にも左右される。レイアウト・データをレチクルに転写するのに用いられるマスク書込み処理と、レチクル・レイアウトをウェーハ上にプリントするのに用いられるリソグラフィー手順とが、「近接効果」を受けており、転写処理の際に形成される形状の最終的な寸法は、隣接形状部分が存在するかしないかによって影響を及ぼされる。例えば、レチクル内で全ての線が同じ幅を有している場合であっても、光学リソグラフィーの際に、近接して離間されている線の幅が、孤立している線の幅とは異なっている可能性がある。更に、プリントされるイメージの寸法及び規則性は、隣接の形状部分によって、若しくは付近の欠陥によってさえも、影響を受ける可能性がある。
【００１１】
欠陥によって生じる近接効果の一例が、図２ａ及び図２ｂに示されている。図２ａは、レチクル形状２１０を含んだポリシリコン層レチクル２００の一部を示している。レチクル形状２１０は、最終的なＩＣデバイスに形成されるトランジスタ・ゲートと対応するクリティカル領域２１１（Ｇｌａｓｓｅｒらの技法、即ち、原型のＩＣレイアウトで拡散領域の上に位置するレチクル領域へのフラッギング、により特定される）を含む。その結果、レチクル２００の形成及び検査の際に、クリティカル領域２１１に特別な注意を払うことができる。
【００１２】
しかしながら、レチクル２００は、欠陥２１２（即ち、レチクルの不透明な層（クロム層）内にある予期せぬマーキング）も含んでいる。Ｇｌａｓｓｅｒらによって教示されるように、クリティカル領域２１１の外側にある領域は、クリティカル領域ほど注意を払わずに書込み及び検査がなされるので、欠陥２１２の様な欠陥がクリティカル領域の外側領域の中に生じたり、検出されなかったりする可能性が多々存在する。図２ｂは、レチクル２００を用いてリソグラフィー・ステップから製造され得るポリシリコン形状２３０を含んだウェーハ部分を示している。ポリシリコン形状２３０は、所望のゲート・プロフィール２４０からはずれている実際のゲート・プロフィール２２１を含む。リソグラフィーの際の、レチクル形状２１０とレチクル欠陥２１２との間の近接効果が原因で、実際のゲート・プロフィール２２１が生じる。それゆえに、原型のＩＣレイアウトにおいてクリティカル領域を特定し、更に、その後の、レチクル製造ステップ及びレチクル検査ステップの両方で、クリティカル領域への注意の集中させるのにも関わらず、最終的なＩＣ構造が好ましくない変形をする。
【００１３】
更に、最終的なトランジスタ・ゲートの形成に重要な役割を果たす、クリティカル領域外側の意図的に付加された形状があってもよい。光学近接効果補正（ＯＰＣ）として知られる方法が開発されており、そこでは、リソグラフィー処理の際の、予測される変形に対してあらかじめ補正を行うために、クリティカル・レイアウト形状の周囲に種々の形状が導入されている（或いは、クリティカル・レイアウト形状の修正がなされている）。これらのＯＰＣ形状及び修正は、それらの適切な効果が確実なものとなるように、関心のある実際のレイアウト形状と同程度の精度で再現される必要がある。同様にして、ＯＰＣ形状が組込まれる際に、それらの効果が確実に考慮されるように、クリティカル形状と隣接する原型レイアウト形状が、精密に形成されることも、更に必要である。しかしながら、クリティカル領域はクリティカル形状自体しか含まないので、影響を及ぼすこれらの外部形状は、クリティカル形状のように、構成に同程度の注意が払われることはなく、結果として所望する最終的なＩＣ精度よりも劣る精度になることが多い。従って、最終的なＩＣ形状に予期せぬズレを導入してしまう近接効果を許容しない、レチクルの精密な形成及び検査を確実に行うための方法が提供されることが望ましい。
【００１４】
（発明の開示）
本発明は、ＩＣレイアウト・データファイル中で「近接効果ハロー」を特定することによって、リソグラフィー・レチクルの製造を最適化するための方法を提供する。この近接効果ハローは、厳しい公差付レイアウト形状（即ち、精密に形成される必要のある最終的なＩＣ形状と対応するレイアウト形状）の形成若しくは検査のときに影響が及ぼされ得る、この厳しい公差付レイアウト形状の周囲の領域を示している。レチクルを作る際に、（近接効果ハロー領域によって取囲まれる厳しい公差付レイアウト形状と同様に）近接効果ハローに高度な配慮を適用することによって、高収率リソグラフィー処理を提供することが可能なレチクルが製造される。同時に、向上された精密検査を必要とするこれらの領域が一度特定されてしまえば、ＩＣレイアウトの残りの部分は、さほど厳密でない規格を用いて処理することが可能であり、それにより、製造の時間及び経費が軽減される。
【００１５】
近接効果ハローの幅は、囲まれる厳しい公差付レイアウト形状に対して、そのハロー領域の外側にある形状及び／又は欠陥によって及ぼされる近接効果が、特定の閾値レベルを下回るように規定される。本発明の一実施例では、この幅は、ＩＣレイアウトが用いられる（複数の）処理の測定を通して、実験的に決定することが可能である。本発明の別の実施例では、この幅は、レチクルを製造及び使用するための処理をモデル化することによって見積もることが可能である。例えば、光学リソグラフィー処理において、近接効果は、ウェーハを露光するのに用いられる光の波長と比例し、且つツールの開口数と反比例する。更に、レジスト及びエッチングの効果が、近接効果に付与され得るが、それらの処理は特性を決定するほどのものではない。それゆえに、ハローの幅は波長を開口数で割り、その結果にレジスト／エッチングの効果に対する補正のための定数を乗じることで見積もることができる。更に、電子ビーム・レチクル書込み作業において、露光処理の際のビームの前方散乱及び後方散乱によって、かなりの近接効果が導入される可能性がある。この場合にも、適切な近接効果ハロー幅を決定するために、モデル化若しくはデータ解析が用いられてよい。いずれにせよ、値域が非常に大きい近接効果を有する処理は、ハロー幅が制御されるべきである。
【００１６】
一度規定されてしまえば、次は、その近接効果ハローを用いて高収率レチクルの製造を容易にすることができる。本発明の一実施例により、レチクルの書込みのために、ラスタ走査ツールを用いることが可能である。特に、厳しい公差付レイアウト形状及び近接効果ハローを精密に露光するのに小さなスポット・サイズが用いられるのに対して、レチクルの残りの部分を効率的に露光するのにより大きなスポット・サイズが用いられる。本発明の別の実施例により、レチクルの書込みを行うためにベクトル走査・ツールを用いることが可能である。その場合には、厳しい公差付レイアウト形状及び関連する近接効果ハローを個々に分割することが可能なので、奇妙な形をしている基本形状に起因する問題を最小することができる。
【００１７】
本発明の一実施例によると、レチクル製造システムがコンピュータ及びグラフィックディスプレイを含み、そのコンピュータは、ＩＣレイアウト・データファイルを読込み、厳しい公差付レイアウト形状を特定し、更に、その厳しい公差付レイアウト形状の周囲の近接効果ハローを規定する。本発明の一態様により、キーとなる形状をユーザが手動で特定する（即ち、個々に選択する）ことが可能である。本発明の別の態様によると、キー形状として特定される特定のレイアウト形状若しくは構成を、ユーザが指定することが可能である。本発明の一実施例によると、ユーザの入力及び制御を可能にするべく、グラフィックユーザインターフェースが提供される。本発明の別の実施例では、レチクル製造システムは、ＬＡＮ若しくはＷＡＮを介して遠隔のデータベースからＩＣレイアウト・データファイルを受信できるように接続されてよい。本発明の更に別の実施例では、レチクル製造システムは、コンピュータからの近接効果ハローを含むレチクルデータファイルを受信するレチクル書込みツールに接続されていてもよい。
【００１８】
（発明を実施するための最良の形態）
図３は、リソグラフィー処理時に適切なデバイス形成が確実になされるように、レチクル書込みの際に、特別な配慮を必要とする「厳しい公差付形状」の例を提供している。図３は、従来のＩＣレイアウト設計で一般的に見られるサンプルレイアウト形状３１０及び３２０を示している。図３で示されているように、レイアウト形状３２０は、レイアウト形状３１０によって表された拡散領域の上に形成され、且つＩＣのポリシリコン層内に形成されている形状を表している。それゆえに、レイアウト形状３１０及び３２０は、ＩＣ中に形成されるトランジスタを示しており、このトランジスタのゲートは、レイアウト形状３１０の上に位置するレイアウト形状３２０部分で規定される。従って、レイアウト形状３２０は、この重なり合う領域に対応する厳しい公差付形状３２１を含んでいる。トランジスタのこのゲートは、デバイスの性能に非常に重要であるため、厳しい公差付形状３２１が最終的なＩＣ内に精密に形成される必要がある。
【００１９】
近接効果ハロー
厳しい公差付形状３２１のこの精密な形成を確実にするために、厳しい公差付形状３２１周囲に近接効果ハロー３３１が示されている。近接効果ハロー３３１は、厳しい公差付形状３２１の各端部から距離ｄだけ拡張されている。距離ｄは、「近接効果範囲」を表しており、レチクル形成若しくはウェーハ・パターンニングの際に、厳しい公差付形状に対して、近接効果ハロー３３１の外側のいかなる形状の影響も無視可能であるように選択されている。近接効果ハロー３３１の外周は、厳しい公差付形状３２１から完全に一定間隔が保持されるように、角が丸くなっていてよい。しかしながら、示されている四角い角の方が、画定及び処理がより容易であり、レイアウト内で占める領域が著しく大きくならない。
【００２０】
厳しい公差付形状３２１と近接効果ハロー３３１とが一緒に、厳しい公差域３３０を形成する。レチクル形成の際に精密なパターニングが確実になされるように、厳しい公差域３３０により一層の配慮が向けられてよいのに対して、処理能力を向上させるように、寸法がさほど重要でない厳しい公差域３３０の外側の領域には標準的な注意を払うだけでよい。
【００２１】
近接効果範囲
前述されたように、厳しい公差付形状３２１に著しい近接効果を及ぼし得る任意の形状若しくは潜在的な欠陥が近接効果ハロー３３１内に含まれるように、ｄが選択される。通常、近接効果ハロー３３１は、厳しい公差付形状３２１のプリントの際に近接効果を多少なりとも導入し得る全ての形状／欠陥が組入れられているわけではない。そのような包括的な方法は、一般的に望ましくない。なぜならば、ＩＣ素子中の歪みが所定レベルを下回るということは、ＩＣ性能にたいして利点をもたらさないが、非常に大きな近接効果ハローを必要とするからである。更に、この方法では厳しい公差域がパターン領域の大部分を占めることになるため、厳しい公差域にだけより一層の注意を払うことによって得られる効率性の利点を無効にしてしまいがちである。それゆえに、近接効果範囲は、厳しい公差付形状に所定の閾値を上回る近接効果を及ぼす形状／潜在的欠陥だけを包囲するように選択されるべきである。
【００２２】
近接効果は、ウェーハ・パターニング処理（リソグラフィー）及び実際のレチクル形成処理のいずれのときにも出現する。従って、近接効果範囲は、近接効果に最も影響を及ぼされる処理（即ち、閾値近接効果が最大距離で生じる処理）から導き出されてよい。
【００２３】
ウェーハ・パターニング
ウェーハ・パターニングに対する近接効果範囲は、回折の影響及び処理の影響の両方の関数である。レチクル・レイアウトは、リソグラフィー・ツールの放射源（光源）によって、ウェーハ上に露光される。露光の光がレチクルの微細な透明領域を通過する際に、隣接する形状の間で回折の影響が及ぼされ、ウェーハのレジスト層上に投影されたパターンに歪みが生じる。これらの回折の影響は、開口数（ＮＡ）、露光放射線の波長、及びどういう種類の照明が用いられるか（即ち、軸上の照明であるか、若しくは軸外照明であるか）に左右される露光放射線のコヒーレンスを含む、リソグラフィー・ツールの特性の関数になっている。
【００２４】
更に、その後に照射イメージがウェーハ面に転写される際にも歪みが生じる可能性がある。これらの付加的な変形は、ウェーハの物理処理の際に生じる、処理の影響が原因である。例えば、露光する光の強度がレイアウト形状の端部ですぐにゼロに落ちずに多少の勾配で減少しているため、それらレイアウト形状の端部は部分的に現像される。端部の強度勾配の急激さ、及びレジストの感度次第で、これらの部分的な端部の現像が、所望のレイアウト外形からの更なるズレを生じさせてしまう可能性がある。同様にして、レジスト中のパターンをウェーハ面に転写するべくウェーハがドライエッチングされる際、残ったレジスト層がエッチング剤のイオンによりアタックされて、更なる欠陥を生じる可能性がある。更には、エッチング処理で用いられる高温が、レジスト・パターンの流れ及び歪みを生じさせる可能性もある。
【００２５】
本発明の一態様により、ウェーハ・パターンの近接効果範囲は、実験データを通して得ることができる。上述したような回折及び処理の影響の間には複雑な相互作用が存在するので、経験的な方法によって、適切な近接効果範囲を決定するための直接的な手段が提供され得る。この実験結果は、リソグラフィー処理からの実際のデータよりもたらされてよい。本発明の別の態様に従って、近接効果範囲に対する見積もりを提供するために公式若しくはモデルが用いられてもよい。例えば、回折効果は、波長を開口数で割ったものに比例する。それゆえに、適切な近接効果範囲の公式は以下のようになる。
【００２６】
ｄ ＝ ｋ＊λ／ＮＡ　　　　　　　　　　　　　　　　　　　　　　（１）
ここで、ｄが近接効果範囲、λが露光する放射線の波長、ＮＡがツールの開口数、及びｋが露光する放射線のコヒーレンスとレジスト及びドライエッチングの影響とを調整するための補正定数である。波長が３６５ｍｍ、ＮＡが０．６である処理に対する一般的な補正定数はｋ ＝ ２．５であり、それにより近接効果範囲ｄ ＝ １．５μｍが得られる。更に、波長を２４８ｍｍに変えると、近接効果範囲はｄ ＝ １μｍとなる。公式に基づく方法を用いる場合、必要領域を全て有効範囲にすることを確実にするために、近接効果範囲の計算値に「バッファ・オフセット（ｂｕｆｆｅｒ ｏｆｆｓｅｔ）」が付加されてもよい。
【００２７】
レチクル書込み／検査
前記で示したように、レチクル形成処理の一部が、リソグラフィー処理よりも、近接効果に対してより高い感度を有していてよい。そのような場合、近接効果範囲は、レチクル形成処理内の影響を受けるステップに基づくものであってよい。典型的な例としては、レチクル書込み作業が近接効果に対する高い感受性を有する可能性がある。ＩＣレイアウト・データをレチクルに書込むために用いられる２つの主たる方法として、光学的な書込み及び電子ビーム（ｅ−ビーム）書込みがある。光学系では、ＩＣレイアウト・パターンをレチクル上に露光するのに光源が用いられる。従って、そのような処理に対する近接効果範囲は、光源の回折による影響を受ける可能性がある。ウェーハ・パターン処理の場合と同様に、光学的なレチクル書込みシステムの近接効果範囲は、実験データで決定されてもよいし、若しくは公知の光学の式を用いて計算されてもよい。しかしながら、レチクルは通常、最終的にプリントされる（ウェーハ）イメージの大きさの４倍乃至５倍なので、回折による相互作用は、同じレイアウトを含むリソグラフィーステップの場合ほど大きくない。光学的なレチクル書込みツールの例には、ＥＴＥＣ Ｓｙｓｔｅｍ社製のＣｏｒｅ２５６４、Ａｌｔａ３０００、Ａｌｔａ３５００、及びＡｌｔａ３７００、並びにＭｉｃｒｏｎｉｃ Ｌａｓｅｒ Ｓｙｓｔｅｍ社製のＯｍｅｇａ６０００のツールが含まれる。
【００２８】
ｅ−ビーム・システムでは、特定のパターンをレチクル面上のレジスト層の中に書込むために、集束電子ビーム（若しくはベクトル走査ツールに対しては定形ビーム）が用いられる。このビームは、パターンを通して投影されないので、回折の影響が最小化される。しかしながら、電子はレジストに侵入するので、それらがレジスト層を通り抜ける際（前方散乱）、及びレチクル面に進入するとき（後方散乱）に偏向され得る。これらの散乱の影響が、ｅ−ビームによって露光された領域に「拡大」していき、それにより著しい近接効果が生じる可能性がある。
【００２９】
より複雑なレイアウト・パターンを書込むためにｅ−ビームの出力を増大させればさせるほど、散乱の影響が増幅される。例えば、１０ｋｅＶのｅ−ビーム・ツールは、×４−５のレチクルに対して２μｍ程度の散乱の影響を生じ得る。これは、ウェーハの近接効果範囲よりも概して小さい値であり得る０．４−０．５μｍレチクル近接効果範囲（元々のレイアウト・サイズ、即ち×１において）に変換される。しかしながら、５０ｋｅＶのｅ−ビーム・ツールは、×４−５のレチクルに対して１５μｍ程度の散乱の影響を及ぼし得る。これらの形状は、ウェーハの近接効果範囲よりもかなり大きい値であり得る３−３．７５μｍのレチクル近接効果範囲（×１において）に変換される。散乱の影響のモデル化及び計算をすることは可能だが、相互作用の確率論的な性質及び複雑性により、そのような計算が困難である可能性がある。ｅ−ビーム・ツールに対して近接効果範囲を得るために実験データを用いることによって、より有効且つ正確な値が提供され得る。ｅ−ビーム・レチクル書込みツールの例には、ＥＴＥＣ Ｓｙｓｔｅｍ社製のＭＥＢＥＳツール、日立社製のＨＬ８００、ＨＬ９００、及びＨＬ９５０ツール、ＪＥＯＬ社製のＪＢＸ−６０００ＦＳツール、並びにＬｅｉｃａ Ｌｉｔｈｏｇｒａｐｈｙ Ｓｙｓｔｅｍ社製のＶｅｃｔｒｏｂｅａｍのツールが含まれる。
【００３０】
最後に、検査処理では通常、完成したレチクルからの光学イメージが用いられるので、近接効果はパターニングされたレチクルの検査にも影響を及ぼす。通常、この光学的な処理は×４−５の拡大率で実行されるので、検査の近接効果は、ウェーハの近接効果よりも顕著性がずっと少なくなっているべきである。しかしながら、リソグラフィー若しくはレチクル書込みの場合と同様に、検査の近接効果範囲は、実験的若しくは理論的に決定可能であり、リソグラフィー若しくはレチクル書込みの範囲よりも大きくなっている場合には、近接効果範囲全体を画定するのに用いられてよい。レチクル検査ツールの例には、ＫＬＡ−Ｔｅｎｃｏｒ社製のＫＬＡ２００及びＫＬＡ３００の系列、Ａｐｐｌｉｅｄ Ｍａｔｅｒｉａｌｓ社製のＯｒｂｏｔ ＲＴ８００、ＲＴ８０００、及びＡＲＩＳ−Ｉのツール、Ｌａｓｅｒｔｅｃｈ社製の９ＭＤ系列のツールが含まれる。
【００３１】
レチクル製造
近接効果範囲が一度画定されてしまえば、それを用いてレチクルを作ることが可能である。図４ａは、本発明の一実施例に従った、レチクル書込み方法のフローチャートを示している。ステップ４１０で、ＩＣレイアウト・データファイルが読込まれて厳しい公差付形状が特定される。この厳しい公差付形状は、ユーザが高い転写精度を必要とするレイアウトの個々の要素を選択することによって手動で特定することが可能である。或いは、別の実施例では、例えば、特定のレイアウト要素（例えば、トランジスタ・ゲート若しくはコンデンサ）の検出、若しくは特定のレイアウト形状構成（例えば、孤立ライン等の単一層構成、若しくは拡散領域の上のポリシリコン形状等の複数層構成）の検出によって、厳しい公差付き形状を検出するのに自動化された手段が用いられてもよい。本発明の別の実施例では、（補助的形状若しくはセリフ等の）ＯＰＣ形状に対する走査を行い、次にそれらのＯＰＣ形状に関連するレイアウト形状をフラッギングすることにより、厳しい公差付形状の自動化された検出がなされてよい。本発明の一実施例に従って、厳しい公差付形状を検出するために、デザイン・ルール・チェッカ（ＤＲＣ）ツールが用いられてもよい。例えば、ポリシリコン層と拡散層との論理ＡＮＤ演算を実行するようにＤＲＣツールに命令することによって、図３における厳しい公差付形状３２１等のゲート領域を特定することができる。ＤＲＣツールの例には、Ｃａｄｅｎｃｅ Ｄｅｓｉｇｎ Ｓｙｓｔｅｍｓ社製のＡＳＳＵＲＡ、Ｍｅｎｔｏｒ Ｇｒａｐｈｉｃｓ社製のＣａｌｉｂｒｅ、及びＡｖａｎｔ！社製のＨｅｒｃｕｌｅｓが含まれる。
【００３２】
厳しい公差付形状が特定された後に、ステップ４２０で各形状に対する近接効果ハローが特定される。本発明の一実施例に従って、厳しい公差付形状の各々が特定される際に、近接効果ハローが指定されてよい。前述のように、関連する厳しい公差付形状の各端部から、近接効果範囲と等しい幅で線引きすることにより、各近接効果ハローが形成される。厳しい公差域を形成するべく、厳しい公差付形状の各々と、関連する近接効果ハローとが組合わされてよい。次に、近接効果ハロー／厳しい公差域のデータを含むレチクルデータファイルが、レチクル書込みツールに渡される。
【００３３】
ステップ４３０で、レチクルの書込みがなされ、厳しい公差付形状及び近接効果ハロー内の領域への書込みは、ＩＣレイアウトの残りの部分よりも細心の注意を払って行われる。前述したように、ブランクの（即ち、パターン化されていない）レチクルは、光学的に書込まれてもよいし、若しくはｅ−ビームを用いて書込まれてもよい。光学ツールが通常、レチクルを単一ステップで露光するのに対して、ｅ−ビーム・ツールは、特定された厳しい公差付形状を最も効率的に利用するために複数ステップを必要とする。図４ｂは、本発明の一実施例による、ラスタ走査ｅ−ビーム・ツールを用いた、レチクルの書込み方法のフローチャートを示している。最初に、ステップ４３１ｂにおいて、ｅ−ビームが小さい（高精度の）スポット・サイズに設定される。次に、ステップ４３２ｂで、厳しい公差域がラスタ走査される。更に、ステップ４３３ｂで、ｅ−ビームが大きい（高速の）スポット・サイズに設定される。最後に、ステップ４３４ｂにおいて、レチクルの残りの部分（厳しくない公差域）がラスタ走査され、それにより露光処理が完了する。本発明の別の実施例では、厳しくない公差域の高速走査で露光がなされた後に、厳しい公差域がラスタ走査される。
【００３４】
図４ｂで説明されたようなｅ−ビーム・ラスタ走査処理の一例が、図５に示されている。図５は、厳しい公差付形状５２１を含むレイアウト形状５２０を有するＩＣレイアウトの一部を示している。近接効果ハロー５３１が厳しい公差付形状５２１の周囲に特定されており、それにより厳しい公差域５３０が形成される。厳しい公差域５３０を経路Ｐ１に沿って走査するのに、小さなスポット・サイズＳ１を有するｅ−ビームが用いられており、それにより厳しい公差付形状５２１と、形状５２１の近接効果範囲内の形状が含まれ得る任意の隣接領域との精密な転写が確実に行われる。ＩＣレイアウトの残りの部分を経路Ｐ２に沿って走査するのに、大きなスポット・サイズＳ２を有するｅ−ビームが用いられており、それにより走査に必要な合計時間が最小化される。
【００３５】
ラスタ走査方法を用いる代わりに、ベクトル走査を実行するようにｅ−ビーム・ツールが設定されてよい。図４ｃは、本発明の一実施例による、ベクトル走査ｅ−ビーム・ツールを用いた、レチクルの書込み方法のフローチャートを示している。ベクトル走査ツールでは、露光されるレチクルの領域にｅ−ビームが直接動かされる。それらの領域の各々が複数の基本形状に分割され、分割された基本形状の各々は、同様の形状をしたｅ−ビームのシングル・ショットで露光される。基本形状のいずれかが非常に小さい場合（即ち、縦横比が非常に小さい、若しくは非常に大きい場合）には、露光処理の精度及び質が低下する可能性がある。従来のベクトル走査システムでは、非常の大量のデータが分割されるために、望ましくない基本形状を避けることが困難であった。しかしながら、ステップ４３１ｃでは、厳しい公差域だけが分割されるので、分割処理においてより向上された制御が可能となり、非常に狭小な基本形状を防ぐことができる。分割ツールの一例には、Ｎｕｍｅｒｉｃａｌ Ｔｅｃｈｎｏｌｏｇｉｅｓ社の子会社であるＴｒａｎｓｃｒｉｐｔｉｏｎ Ｅｎｔｅｒｐｒｉｓｅ社製のＣＡＴＳツールがある。
【００３６】
そのように制限された領域を分割するので、最終的な基本形状は、それら形状を最適化するように容易に調整することが可能である。本発明の一態様に従って、トランジスタ・ゲートを含む厳しい公差域は、そのゲート（即ち、厳しい公差付形状）が単一の基本形状であるように、ネガティブなレジスト処理のために分割されてよい。次に、そのゲートは、精度の向上のためにシングルショットで露光されてよい。本発明の別の態様に従って、近接効果ハローが等しい大きさの基本形状に分解されるように、トランジスタ・ゲートを含む厳しい公差域が、ポジティブなレジスト処理のために分割されてもよい。通常はレイアウト形状の補体がポジティブなレジスト処理で露光されるでの、ばらつきのない基本形状を用いることで実際の（露光されない）形状の規則性が向上される。
【００３７】
４３１ｃの分割ステップの後、ステップ４３２ｃにおいて、各基本形状が対応する定形ビームによりシングル・ショットで露光される。ステップ４３３ｃでは、残りのデータが分割され、更にステップ４３４ｃで、それら残りの基本形状が露光される。本発明の別の実施例では、全ての基本形状が電子ビームによって露光された後で、厳しい公差域の分割（ステップ４３１ｃ）の直後に、レイアウトの公差が厳しくない部分の分割（ステップ４３３ｃ）が実行される。
【００３８】
図４ａに戻ると、レチクルが一度書込まれた後、ステップ４４０で、露光パターンがレジストに現像され、その後にレチクルのクロム層へとエッチングが行われる。次に、できあがったレチクルがステップ４５０で検査される。本発明の一実施例に従って、厳しい公差域と対応するレチクル領域に高感度の検査が適用されるのに対して、レチクルの残りの部分には標準的な（あまり厳しくない）感度の検査が適用されるように、検査処理が設定されてよい。この方法を用いると、高収率レチクルが確実に得られるようにレチクルの真にキーとなる部分が注意深く検査されのに対して、検査処理全体がより迅速に行えるようにレチクルのさほど重要でない部分がより適切なレベルで検査される。
【００３９】
最後に、ステップ４５０で所望のパターンから検出された任意の欠陥若しくはズレが、ステップ４６０において修復される。本発明の一実施例に従って、厳しい公差域内では、精度の高い修復を実行するために集束イオンビーム（ＦＩＢ）ツールを用いて、感度の低い領域中では、より迅速に欠陥を修復するようにレーザ・ツールを用いてよい。
【００４０】
高収率レチクルシステム
図６は、本発明の一実施例に従った、近接効果ハロー処理システム６１０の線図を示している。システム６１０は、少なくとも１つのコンピュータ６１４と、グラフィックディスプレイ６１２を有する。コンピュータ６１４には、Ｍｉｃｒｏｓｏｆｔ（登録商標）のソフトウェアが作動しているパーソナルコンピュータ（ＰＣ）及び／又はＳｏｌａｒｉｓ（登録商標）オペレーティング・システムが作動しているＳｕｎ（登録商標）のワークステーションが含まれてよい。グラフィックディスプレイ６１２は、システム６１０によって実行されるＩＣレイアウト処理作業をユーザが監視及び制御するのを可能にする。例えば、グラフィックディスプレイ６１２によって、グラフィカル・ユーザ・インターフェース（ＧＵＩ）が提供されてもよく、それを介して、近接効果範囲の仕様、若しくは厳しい公差付形状の設定をユーザが入力することが可能になる。
【００４１】
通常、コンピュータ６１４は、図４に示されたフローチャートのステップ４１０及び４２０に各々記載されているように、ＩＣレイアウトの厳しい公差付形状を特定するための処理モジュールと、近接効果ハローを画定するための処理モジュールとを含んでいる。本発明の一態様に従って、この処理モジュールがソフトウェアの中に組込まれてよい。又、本発明の別の態様に従って、処理モジュールがＲＯＭ（ランダム・オペレーティング・メモリ）チップセット等のハードウェアの構成要素であってよい。
【００４２】
図６には更に、ＩＣレイアウト・データベース６２０、レチクル書込みツール６３０、検査ツール６４０、及び修復ツール６５０が示されており、これらは全てシステム６１０から物理的に離されて配置されてもよい。ＩＣレイアウト・データベース６２０によって、ＩＣレイアウト・データファイルのための集中型記憶領域が提供されてよい。或いは、このＩＣレイアウト・データファイルがコンピュータ６１４の中に局部的に記憶されてもよいし、更にはレチクル書込みツール６３０の中に記憶されてもよい。本発明の一態様に従って、コンピュータ６１４は、ローカル・エリア・ネットワーク（ＬＡＮ）を介して、レチクル書込みのために処理がなされるファイル用のＩＣレイアウト・データベース６２０にアクセスされてもよい。本発明の別の実施例では、ＩＣレイアウト・データベース６２０は、インターネット等のワイド・エリア・ネットワーク（ＷＡＮ）を介してアクセスされてもよい。システム６１０は、レチクルのパターン化してその結果を検査ツール６４０へ送信するレチクル書込みツール６３０に、（近接効果ハローの情報を含む）レチクル・データファイルを送信する。更に、検査処理が最適化されるように、検査ツール６４０にも修正されたレイアウト・データファイルが提供される。最後に、検査されたレチクル・データ及びそれと関連する欠陥のデータが、修正されたレイアウト・データファイルと共に修復ツール６５０に提供される。次に、修復ツール６５０が、修正されたレイアウト・データファイル中で規定された厳しい公差域に基づいて欠陥の修復を実行する。本発明の一態様に従って、修正ツール６５０は、厳しい公差域内にある欠陥に対しては高精度の修復を実行し、その他全ての欠陥に対しては精度の低い修復を実行するように設定されてよい。本発明の別の実施例に従って、修復ツール６５０が、厳しい公差域にある欠陥のための集束イオンビーム・ツールと、その他全ての欠陥のためのレーザ・ツールとの、２つの異なる修復ツールに置換されてよい。ＩＣレイアウト・データベース６２０の場合と同様に、レチクル書込みツール６３０、検査ツール６４０、及び修復ツール６５０は、ＬＡＮ又はＷＡＮも介してコンピュータ６１４に接続されてもよいし、或いは直接的な接続を介して通信がなされてもよい。
【００４３】
結論
従って、本発明により、高収率レチクルの効率的な製造が約束される。特に、高度な精度を要するＩＣレイアウト形状を特定し、更にその次に、それらの形状の形成に影響を及ぼし得る隣接領域を特定することによって、できあがったＩＣの性能に強く影響を及ぼすレチクル部分を精密に形成し、且つ検査することが可能になる。同時に、残りの領域の形成及び検査に対して、さほど厳密でない制御を配置することが可能になり、それにより最終的な物品を形成するのに必要な時間が最小化される。
【００４４】
上記の明細は、制限することを意図したものではない。本発明の多数の修正及び変形は、当業者には明らかであろう。例えば、図３では、厳しい公差付形状３２１がトランジスタ・ゲートを表すものとして示されているが、任意のレイアウト形状が厳しい公差付形状として特定されてよい。同様に、図３において、厳しい公差付形状３２１及び厳しい公差域３３０は、概ね四角形状の外形を有するものとして示されているが、厳しい公差付形状は任意の外形であってもよく、それと関連する厳しい公差域は、単にその外形と平行しているものでよい。更に、図６中のシステム６１０は、コンピュータ６１４として示されているが、システム６１０は、実際のレイアウト処理を行うリモート・サーバに対してのクライアントであってもよい。更に、システム６１０は、レチクル書込みツール６３０と分離しているものとして示されているが、システム６１０は、ツール６３０の中に直接組込まれてもよい。それゆえに、本発明は、付随の請求項によってのみ制限されるものである。
【図面の簡単な説明】
【図１】
図１は、従来技術に従ってフラッギングされたクリティカル領域を有するＩＣレイアウトのサンプル部分を示している。
【図２Ａ】
図２ａは、レチクル欠陥によって生じた近接効果が図示されている。
【図２Ｂ】
図２ｂは、レチクル欠陥によって生じた近接効果が図示されている。
【図３】
図３は、本発明に従った近接効果の実例を示している。
【図４Ａ】
図４ａは、本発明の一実施例による、レチクル製造処理の系統線図を示している。
【図４Ｂ】
図４ｂは、本発明の一実施例による、ラスタ走査ツールを用いたレチクル書込み作業の系統線図を示している。
【図４Ｃ】
図４ｃは、本発明の一実施例による、ベクトル走査ツールを用いたレチクル書込み作業の系統線図を示している。
【図５】
図５は、本発明の一実施例による、ラスタ走査レチクル書込み処理を図示してる。
【図６】
図６は、本発明の一実施例による、レチクル・レイアウト処理システムの線図を示している。
【図１】
2004511013.tif 000002
【図２Ａ】
2004511013.tif 000003
【図２Ｂ】
2004511013.tif 000004
【図３】
2004511013.tif 000005
【図４Ａ】
2004511013.tif 000006
【図４Ｂ】
2004511013.tif 000007
【図４Ｃ】
2004511013.tif 000008
【図５】
2004511013.tif 000009
【図６】
2004511013.tif 000010
【国際公開パンフレット】
2004511013.tif 000011
2004511013.tif 000012
2004511013.tif 000013
2004511013.tif 000014
2004511013.tif 000015
2004511013.tif 000016
2004511013.tif 000017
2004511013.tif 000018
2004511013.tif 000019
2004511013.tif 000020
2004511013.tif 000021
2004511013.tif 000022
2004511013.tif 000023
2004511013.tif 000024
2004511013.tif 000025
2004511013.tif 000026
2004511013.tif 000027
2004511013.tif 000028
2004511013.tif 000029
2004511013.tif 000030
2004511013.tif 000031
2004511013.tif 000032
2004511013.tif 000033
2004511013.tif 000034
2004511013.tif 000035
2004511013.tif 000036
2004511013.tif 000037
2004511013.tif 000038
2004511013.tif 000039
2004511013.tif 000040
2004511013.tif 000041
2004511013.tif 000042
2004511013.tif 000043
2004511013.tif 000044
2004511013.tif 000045
2004511013.tif 000046
2004511013.tif 000047
2004511013.tif 000048
2004511013.tif 000049
2004511013.tif 000050
【手続補正書】
【提出日】平成13年11月21日(2001.11.21)
【手続補正１】
【補正対象書類名】明細書
【補正対象項目名】特許請求の範囲
【補正方法】変更
【補正の内容】
【特許請求の範囲】
【請求項１】
集積回路（ＩＣ）レイアウト・データファイルからリソグラフィー・レチクルを作るための方法であって、
前記ＩＣレイアウト・データファイルの中の複数のレイアウト形状を特定するステップと、
各々が内側及び外側の境界線を有する複数のハロー領域を画定するステップであって、複数の前記ハロー領域の各々の前記内側境界線は、複数の前記レイアウト形状のうちの対応する形状の前記外側境界線により画定され、複数の前記ハロー領域の各々の前記内側境界線と前記外側境界線とが概ね平行になっている、特定ステップと、
パラメータの第１セット及びパラメータの第２セットを用いて作業を実行するステップであって、パラメータの前記第１セットは、複数の重要な前記レイアウト形状及び複数の前記ハロー領域に関連していて、パラメータの前記第２セットは、複数の重要な前記レイアウト形状及び複数の前記ハロー領域を含まない前記ＩＣレイアウト・データファイルと関連していて、パラメータの前記第１セットとパラメータの前記第２セットとが異なっている、実行ステップとを有することを特徴とする方法。
【請求項２】
複数の前記ハロー領域の各々が、概ね一定の幅を有することを特徴とする請求項１に記載の方法。
【請求項３】
複数の重要な前記レイアウト形状を特定する前記ステップが、前記ＩＣレイアウト・データファイル内の複数の形状を手動で選択するステップを有することを特徴とする請求項１に記載の方法。
【請求項４】
複数の重要な前記レイアウト形状を特定する前記ステップが、
レイアウト要素を特定するステップと、
前記ＩＣレイアウト・データファイルを走査するステップと、
前記ＩＣレイアウト・データファイルの中で、前記レイアウト要素と合致する位置をフラッギングするステップとを有することを特徴とする請求項１に記載の方法。
【請求項５】
前記レイアウト要素が、トランジスタ・ゲートを有することを特徴とする請求項４に記載の方法。
【請求項６】
前記レイアウト要素が、コンデンサを有することを特徴とする請求項４に記載の方法。
【請求項７】
複数の重要な前記レイアウト形状を特定する前記ステップが、
複数のレイアウト要素を特定するステップと、
前記ＩＣレイアウト・データファイルを走査するステップと、
前記ＩＣレイアウト・データファイルの中で、複数の前記レイアウト要素のうちの合致する１つの位置をフラッギングするステップとを有することを特徴とする請求項１に記載の方法。
【請求項８】
前記ＩＣレイアウト・データファイルが、完成ＩＣ中の単一の処理層と各々が対応する複数の層レイアウトを有し、
複数の重要な前記レイアウト形状を特定する前記ステップが、
レイアウト形状構成を特定するステップと、
複数の前記層レイアウトのうちの第１番目を走査するステップと、
複数の前記層レイアウトのうちの前記第１番目の中で、前記レイアウト形状構成と合致する位置にフラッギングするステップとを有することを特徴とする請求項１に記載の方法。
【請求項９】
前記レイアウト形状構成が、単一層構成を有することを特徴とする請求項８に記載の方法。
【請求項１０】
前記レイアウト形状構成が、複数層構成を有することを特徴とする請求項８に記載の方法。
【請求項１１】
複数の前記層レイアウトのうちの前記第１番目が前記完成ＩＣのポリシリコン層と対応し、
更に、前記複数層構成は、複数の前記層レイアウトのうちの第２番目の中の任意の形状の上に形成された、複数の前記層レイアウトのうちの第１番目の中の形状を有し、複数の前記層レイアウトの前記第２番目は、前記完成ＩＣの拡散層と対応していることを特徴とする請求項１０に記載の方法。
【請求項１２】
複数の重要な前記レイアウト形状を特定する前記ステップが、
前記ＩＣレイアウト・データファイルを走査するステップと、
光学近接効果補正（ＯＰＣ）形状を特定するステップと、
前記ＩＣレイアウト・データファイル中で、前記ＯＰＣ形状と関連する位置をフラッギングするステップとを有することを特徴とする請求項１に記載の方法。
【請求項１３】
複数のハロー領域を画定する前記ステップが、
複数の前記ハロー領域の各々の前記内側境界線を画定するステップと、
複数の前記ハロー領域の各々の前記内側境界線の各端部から、概ね一定の前記幅で平行線を特定するステップと、
複数の前記ハロー領域の各々の各内側境界線の周囲で、前記平行線を結合させるステップとを有することを特徴とする請求項２に記載の方法。
【請求項１４】
概ね一定の前記幅は、
前記ＩＣレイアウトに関連するリソグラフィー処理中に及ぼされる近接効果が特定の閾値レベルよりも低くなっている距離になるように規定されることを特徴とする請求項１３に記載の方法。
【請求項１５】
概ね一定の前記幅は、
前記ＩＣレイアウトに関連するレチクル形成処理中に及ぼされる近接効果が特定の閾値レベルよりも低くなっている距離になるように規定されることを特徴とする請求項１３に記載の方法。
【請求項１６】
概ね一定の前記幅は、
前記ＩＣレイアウトに関連するリソグラフィー処理中に及ぼされる近接効果が特定の閾値レベルよりも低くなっている第１距離よりも大きく、
且つ、前記ＩＣレイアウトに関連するレチクル形成処理中に及ぼされる近接効果が前記特定閾値レベルよりも低くなっている第２距離よりも大きくなるように規定されることを特徴とする請求項１３に記載の方法。
【請求項１７】
前記距離が、測定された近接効果データを用いて、実験的に決定されることを特徴とする請求項１４に記載の方法。
【請求項１８】
概ね一定の開口数（ＮＡ）を有し、且つ概ね一定の波長の露光放射線を用いるリソグラフィー処理中で前記リソグラフィー・レチクルが用いられており、
前記距離が、概ね一定の前記波長を前記ＮＡで割って、その結果にレジスト及びエッチング効果に対する一定の補正因子を乗じることにより見積もられることを特徴とする請求項１４に記載の方法。
【請求項１９】
概ね一定の前記波長が３６５ｎｍであり、且つ前記ＮＡが０．６である場合に、前記距離が約１．５μｍと等しくなることを特徴とする請求項１８に記載の方法。
【請求項２０】
概ね一定の前記波長が２４８ｎｍであり、且つ前記ＮＡが０．６である場合に、前記距離が約１．０μｍと等しくなることを特徴とする請求項１８に記載の方法。
【請求項２１】
５０ｋｅＶ電子ビームのレチクル書込み処理に対して、前記距離が３．０μｍ乃至３．７５μｍの間の距離であることを特徴とする請求項１５に記載の方法。
【請求項２２】
前記作業が、前記ＩＣレイアウト・ファイルデータをリソグラフィー・レチクルに書込むステップを有することを特徴とする請求項１に記載の方法。
【請求項２３】
前記ＩＣレイアウト・データファイルを前記リソグラフィー・レチクルに書込む前記ステップが、第１及び第２のビーム・スポット・サイズを有し、且つ該第１ビーム・スポット・サイズが該第２ビーム・スポット・サイズよりも小さくなっているラスタ走査ツールを用いて実行され、
パラメータの前記第１セットが前記第１ビーム・スポット・サイズを有し、且つパラメータの前記第２セットが前記第２ビーム・スポット・サイズを有しており、
前記ＩＣレイアウト・データファイルを前記リソグラフィー・レチクルに書込む前記ステップは、
複数の重要な前記レイアウト形状及び複数の前記ハロー領域と対応する前記リソグラフィー・レチクルの複数部分を、前記第１ビーム・スポット・サイズを用いてラスタ走査するステップと、
前記リソグラフィー・レチクルの残りの部分を前記第２ビーム・スポット・サイズを用いてラスタ走査するステップとを有することを特徴とする請求項２２に記載の方法。
【請求項２４】
前記ＩＣレイアウト・データファイルを前記リソグラフィー・レチクルに書込む前記ステップが、調整可能な電子ビームを生成することが可能なベクトル走査ツールを用いて実行され、
前記ＩＣレイアウト・データファイルを前記リソグラフィー・レチクルに書込む前記ステップは、
複数の厳しい公差域を画定するように、複数の前記ハロー領域の各々を、複数の重要な前記レイアウト形状のうちの対応する１つと結合させるステップと、
複数の前記厳しい公差域の各々を、パラメータの前記第１セットに従って、調整可能な前記電子ビームにより形成可能な複数の形状のうちの１つを各々が有する第１の複数の基本形状に分割するステップと、
前記ＩＣレイアウト・データファイルの残りを、パラメータの前記第２セットに従って、調整可能な前記電子ビームにより形成可能な複数の前記形状のうちの１つを各々が有する第２の複数の基本形状に分割するステップと、
前記第１の複数の基本形状の各々を露光するステップと、
前記第２の複数の基本形状の各々を露光するステップとを有することを特徴とする請求項２２に記載の方法。
【請求項２５】
前記第１の複数の基本形状の各々が、前記ベクトル走査ツールの最小ビーム幅よりも大きいように大きさの設定がされているベース幅より大きな幅を有することを特徴とする請求項２４に記載の方法。
【請求項２６】
ネガティブ・レジスト処理が用いられていて、
複数の前記公差域の各々を分割する前記ステップが、複数の重要な前記レイアウト形状の各々の周囲に、単一の基本形状を形成するステップを有することを特徴とする請求項２４に記載の方法。
【請求項２７】
ポジティブ・レジスト処理が用いられていて、
複数の前記公差域の各々を分割する前記ステップが、複数の重要な前記レイアウト形状の各々の周囲に、概ね形状が類似している基本形状セットを形成するステップを有することを特徴とする請求項２４に記載の方法。
【請求項２８】
前記作業が、リソグラフィー・レチクルを検査するステップを有していて、
前記リソグラフィー・レチクルを検査する前記ステップが、
精密検査の第１レベルに従って、複数の前記ハロー領域及び複数の重要な前記レイアウト形状に対応する前記リソグラフィー・レチクルの複数部分を検査するステップと、
精密検査の第２レベルに従って、複数の前記ハロー領域及び複数の重要な前記レイアウト形状に対応しない前記リソグラフィー・レチクルの複数部分を検査するステップとを有し、
パラメータの前記第１セットが精密検査の前記第１レベルを含み、
パラメータの前記第２セットが精密検査の前記第２レベルを含み、
精密検査の前記第１レベルが、精密検査の前記第２レベルよりもより厳密であることを特徴とする請求項２２に記載の方法。
【請求項２９】
前記作業がリソグラフィー・レチクルを修復するステップを有していて、
前記リソグラフィー・レチクルを修復するステップが、
第１修復処理を用いて、複数の前記ハロー領域及び複数の重要な前記レイアウト形状の範囲内にある第１の複数の欠陥を修復するステップと、
第２修復処理を用いて、複数の前記ハロー領域及び複数の重要な前記レイアウト形状の範囲内にない第２の複数の欠陥を修復するステップとを有し、
パラメータの前記第１セットが前記第１修復処理を含み、
パラメータの前記第２セットが前記第２修復処理を含み、
前記第１修復処理が前記第２修復処理よりもより精密であり、前記第２修復処理の方が前記第１修復処理よりもより高速であることを特徴とする請求項２２に記載の方法。
【請求項３０】
前記第１修復処理が、集束イオンビーム修復処理を有し、前記第２修復処理が、レーザ修復処理を有することを特徴とする請求項２９に記載の方法。
【請求項３１】
集積回路のレイアウトをウェーハに転写するためのレチクルであって、
厳しい公差付形状が特定された領域と、近接効果ハローとして特定された領域とを備えている少なくとも１つの形状を有することを特徴とするレチクル。
【請求項３２】
ＩＣレイアウト・データファイルを用いるためのシステムであって、
前記ＩＣレイアウト・データファイルを読込み、前記ＩＣレイアウト・データファイル中の複数の特定のレイアウト形状を特定し、且つ複数の特定された前記レイアウト形状の各々の周囲にハロー領域を画定するように構成された処理モジュールと、
複数の特定された前記レイアウト形状、及び複数の特定された前記レイアウト形状の各々の周囲の複数の前記ハロー領域に関連する第１作業を実行し、且つ複数の特定された前記レイアウト形状、及び複数の特定された前記レイアウト形状の各々の周囲の複数の前記ハロー領域を含まないＩＣレイアウト・データファイルに関連する第２作業を実行するように構成された作業ツールとを有し、
前記第１作業と前記第２作業とが異なっていることを特徴とするシステム。
【請求項３３】
複数の特定の前記形状の各々の周囲の前記ハロー領域が、概ね一定の幅を有することを特徴とする請求項３２に記載のシステム。
【請求項３４】
概ね一定の前記幅は、前記ＩＣレイアウト・データファイルと関連するリソグラフィー処理中で及ぼされる近接効果が特定の閾値レベルよりも低くなっている距離になるように規定されていることを特徴とする請求項３３に記載のシステム。
【請求項３５】
概ね一定の前記幅は、前記ＩＣレイアウト・データファイルと関連するレチクル形成処理中で及ぼされる近接効果が特定の閾値レベルよりも低くなっている距離になるように規定されていることを特徴とする請求項３３に記載のシステム。
【請求項３６】
概ね一定の前記幅は、
前記ＩＣレイアウト・データファイルと関連するリソグラフィー処理中に及ぼされる近接効果が特定の閾値レベルよりも低くなっている第１距離よりも大きく、
且つ、前記ＩＣレイアウト・データファイルと関連するレチクル形成処理中に及ぼされる近接効果が前記特定閾値レベルよりも低くなっている第２距離よりも大きくなるように規定されることを特徴とする請求項３３に記載の方法。
【請求項３７】
複数の特定された前記レイアウト形状が、複数の光学近接効果補正形状を有することを特徴とする請求項３２に記載のシステム。
【請求項３８】
前記処理モジュールが、該処理モジュールへのユーザ入力及び制御を可能にするグラフィカル・ユーザインタフェース（ＧＵＩ）を提供するように構成されたグラフィカル・ディスプレイを更に有することを特徴とする請求項３２に記載のシステム。
【請求項３９】
前記処理モジュールが、パーソナル・コンピュータを有することを特徴とする請求項３２に記載のシステム。
【請求項４０】
ＬＡＮ（ｌｏｃａｌ ａｒｅａ ｎｅｔｗｏｒｋ）を介して、遠隔のデータベースから前記ＩＣレイアウト・データファイルを受信するように、前記処理モジュールが接続されていることを特徴とする請求項３２に記載のシステム。
【請求項４１】
ＷＡＮ（ｗｉｄｅ ａｒｅａ ｎｅｔｗｏｒｋ）を介して、遠隔のデータベースから前記ＩＣレイアウト・データファイルを受信するように、前記処理モジュールが接続されていることを特徴とする請求項３２に記載のシステム。
【請求項４２】
前記作業ツールが、レチクル書込みツールを有することを特徴とする請求項３２に記載のシステム。
【請求項４３】
前記処理モジュールが、ＬＡＮ（ｌｏｃａｌ ａｒｅａ ｎｅｔｗｏｒｋ）を介して、前記レチクル書込みツールにレチクル・データファイルを送信するように構成されていることを特徴とする請求項４２に記載のシステム。
【請求項４４】
前記処理モジュールが、ＷＡＮ（ｗｉｄｅ ａｒｅａ ｎｅｔｗｏｒｋ）を介して、前記レチクル書込みツールにレチクル・データファイルを送信するように構成されていることを特徴とする請求項４２に記載のシステム。
【請求項４５】
前記作業ツールが、レチクル検査ツールを有することを特徴とする請求項３２に記載のシステム。
【請求項４６】
前記作業ツールが、レチクル修復ツールを有することを特徴とする請求項３２に記載のシステム。
【手続補正書】
【提出日】平成14年12月17日(2002.12.17)
【手続補正１】
【補正対象書類名】明細書
【補正対象項目名】特許請求の範囲
【補正方法】変更
【補正の内容】
【特許請求の範囲】
【請求項１】
集積回路（ＩＣ）レイアウト・データファイルからリソグラフィー・レチクルを作るための方法であって、
前記ＩＣレイアウト・データファイルの中の複数の厳しい公差付レイアウト形状を特定するステップ（４１０）と、
各々が内側及び外側の境界線を有する複数の近接効果ハロー領域を画定するステップ（４２０）であって、複数の前記近接効果ハロー領域の各々の前記内側境界線は、複数の前記厳しい公差付レイアウト形状のうちの対応する形状の前記外側境界線により画定され、複数の前記近接効果ハロー領域の各々の前記内側境界線と前記外側境界線とが概ね平行になっている、特定ステップと、
パラメータの第１セット（４３１ｂ、４３２ｂ）及びパラメータの第２セット（４３３ｂ、４３４ｂ）を用いて前記リソグラフィー・レチクル上で作業を実行するステップ（４３０）であって、パラメータの前記第１セットは、複数の前記厳しい公差付レイアウト形状及び複数の前記近接効果ハロー領域に関連していて、パラメータの前記第２セットは、複数の前記厳しい公差付レイアウト形状及び複数の前記近接効果ハロー領域を含まない前記ＩＣレイアウト・データファイルと関連していて、パラメータの前記第１セットとパラメータの前記第２セットとが異なっている、実行ステップとを有することを特徴とする方法。
【請求項２】
複数の前記ハロー領域の各々が、概ね一定の幅を有することを特徴とする請求項１に記載の方法。
【請求項３】
複数の重要な前記レイアウト形状を特定する前記ステップが、前記ＩＣレイアウト・データファイル内の複数の形状を手動で選択するステップを有することを特徴とする請求項１に記載の方法。
【請求項４】
複数の重要な前記レイアウト形状を特定する前記ステップが、
レイアウト要素を特定するステップと、
前記ＩＣレイアウト・データファイルを走査するステップと、
前記ＩＣレイアウト・データファイルの中で、前記レイアウト要素と合致する位置をフラッギングするステップとを有することを特徴とする請求項１に記載の方法。
【請求項５】
前記レイアウト要素が、トランジスタ・ゲートを有することを特徴とする請求項４に記載の方法。
【請求項６】
前記レイアウト要素が、コンデンサを有することを特徴とする請求項４に記載の方法。
【請求項７】
複数の重要な前記レイアウト形状を特定する前記ステップが、
複数のレイアウト要素を特定するステップと、
前記ＩＣレイアウト・データファイルを走査するステップと、
前記ＩＣレイアウト・データファイルの中で、複数の前記レイアウト要素のうちの合致する１つの位置をフラッギングするステップとを有することを特徴とする請求項１に記載の方法。
【請求項８】
前記ＩＣレイアウト・データファイルが、完成ＩＣ中の単一の処理層と各々が対応する複数の層レイアウトを有し、
複数の重要な前記レイアウト形状を特定する前記ステップが、
レイアウト形状構成を特定するステップと、
複数の前記層レイアウトのうちの第１番目を走査するステップと、
複数の前記層レイアウトのうちの前記第１番目の中で、前記レイアウト形状構成と合致する位置にフラッギングするステップとを有することを特徴とする請求項１に記載の方法。
【請求項９】
前記レイアウト形状構成が、単一層構成を有することを特徴とする請求項８に記載の方法。
【請求項１０】
前記レイアウト形状構成が、複数層構成を有することを特徴とする請求項８に記載の方法。
【請求項１１】
複数の前記層レイアウトのうちの前記第１番目が前記完成ＩＣのポリシリコン層と対応し、
更に、前記複数層構成は、複数の前記層レイアウトのうちの第２番目の中の任意の形状の上に形成された、複数の前記層レイアウトのうちの第１番目の中の形状を有し、複数の前記層レイアウトの前記第２番目は、前記完成ＩＣの拡散層と対応していることを特徴とする請求項１０に記載の方法。
【請求項１２】
複数の重要な前記レイアウト形状を特定する前記ステップが、
前記ＩＣレイアウト・データファイルを走査するステップと、
光学近接効果補正（ＯＰＣ）形状を特定するステップと、
前記ＩＣレイアウト・データファイル中で、前記ＯＰＣ形状と関連する位置をフラッギングするステップとを有することを特徴とする請求項１に記載の方法。
【請求項１３】
複数のハロー領域を画定する前記ステップが、
複数の前記ハロー領域の各々の前記内側境界線を画定するステップと、
複数の前記ハロー領域の各々の前記内側境界線の各端部から、概ね一定の幅で平行線を特定するステップと、
複数の前記ハロー領域の各々の各内側境界線の周囲で、前記平行線を結合させるステップとを有することを特徴とする請求項２に記載の方法。
【請求項１４】
概ね一定の前記幅は、
前記ＩＣレイアウトに関連するリソグラフィー処理中に及ぼされる近接効果が特定の閾値レベルよりも低くなっている距離になるように規定されることを特徴とする請求項１３に記載の方法。
【請求項１５】
概ね一定の前記幅は、
前記ＩＣレイアウトに関連するレチクル形成処理中に及ぼされる近接効果が特定の閾値レベルよりも低くなっている距離になるように規定されることを特徴とする請求項１３に記載の方法。
【請求項１６】
概ね一定の前記幅は、
前記ＩＣレイアウトに関連するリソグラフィー処理中に及ぼされる近接効果が特定の閾値レベルよりも低くなっている第１距離よりも大きく、
且つ、前記ＩＣレイアウトに関連するレチクル形成処理中に及ぼされる近接効果が前記特定閾値レベルよりも低くなっている第２距離よりも大きくなるように規定されることを特徴とする請求項１３に記載の方法。
【請求項１７】
前記距離が、測定された近接効果データを用いて、実験的に決定されることを特徴とする請求項１４に記載の方法。
【請求項１８】
概ね一定の開口数（ＮＡ）を有し、且つ概ね一定の波長の露光放射線を用いるリソグラフィー処理中で前記リソグラフィー・レチクルが用いられており、
前記距離が、概ね一定の前記波長を前記ＮＡで割って、その結果にレジスト及びエッチング効果に対する一定の補正因子を乗じることにより見積もられることを特徴とする請求項１４に記載の方法。
【請求項１９】
概ね一定の前記波長が３６５ｎｍであり、且つ前記ＮＡが０．６である場合に、前記距離が約１．５μｍと等しくなることを特徴とする請求項１８に記載の方法。
【請求項２０】
概ね一定の前記波長が２４８ｎｍであり、且つ前記ＮＡが０．６である場合に、前記距離が約１．０μｍと等しくなることを特徴とする請求項１８に記載の方法。
【請求項２１】
５０ｋｅＶ電子ビームのレチクル書込み処理に対して、前記距離が３．０μｍ乃至３．７５μｍの間の距離であることを特徴とする請求項１５に記載の方法。
【請求項２２】
前記作業が、前記ＩＣレイアウト・ファイルデータをリソグラフィー・レチクルに書込むステップを有することを特徴とする請求項１に記載の方法。
【請求項２３】
前記ＩＣレイアウト・データファイルを前記リソグラフィー・レチクルに書込む前記ステップが、第１及び第２のビーム・スポット・サイズを有し、且つ該第１ビーム・スポット・サイズが該第２ビーム・スポット・サイズよりも小さくなっているラスタ走査ツールを用いて実行され、
パラメータの前記第１セットが前記第１ビーム・スポット・サイズを有し、且つパラメータの前記第２セットが前記第２ビーム・スポット・サイズを有しており、
前記ＩＣレイアウト・データファイルを前記リソグラフィー・レチクルに書込む前記ステップは、
複数の前記厳しい公差付レイアウト形状及び複数の前記近接効果ハロー領域と対応する前記リソグラフィー・レチクルの複数部分を、前記第１ビーム・スポット・サイズ（Ｓ１）を用いてラスタ走査するステップと、
前記リソグラフィー・レチクルの残りの部分を前記第２ビーム・スポット・サイズ（Ｓ２）を用いてラスタ走査するステップとを有することを特徴とする請求項２２に記載の方法。
【請求項２４】
前記ＩＣレイアウト・データファイルを前記リソグラフィー・レチクルに書込む前記ステップが、調整可能な電子ビームを生成することが可能なベクトル走査ツールを用いて実行され、
前記ＩＣレイアウト・データファイルを前記リソグラフィー・レチクルに書込む前記ステップは、
複数の厳しい公差域を画定するように、複数の前記近接効果ハロー領域の各々を、複数の前記厳しい公差付レイアウト形状のうちの対応する１つと結合させるステップと、
複数の前記厳しい公差域の各々を、パラメータの前記第１セットに従って、調整可能な前記電子ビームにより形成可能な複数の形状のうちの１つを各々が有する第１の複数の基本形状に分割するステップ（４３１ｃ）と、
前記ＩＣレイアウト・データファイルの残りを、パラメータの前記第２セットに従って、調整可能な前記電子ビームにより形成可能な複数の前記形状のうちの１つを各々が有する第２の複数の基本形状に分割するステップ（４３３ｃ）と、
前記第１の複数の基本形状の各々を露光するステップ（４３２ｃ）と、
前記第２の複数の基本形状の各々を露光するステップ（４３４ｃ）とを有することを特徴とする請求項２２に記載の方法。
【請求項２５】
前記第１の複数の基本形状の各々が、前記ベクトル走査ツールの最小ビーム幅よりも大きいように大きさの設定がされているベース幅より大きな幅を有することを特徴とする請求項２４に記載の方法。
【請求項２６】
ネガティブ・レジスト処理が用いられていて、
複数の前記公差域の各々を分割する前記ステップが、複数の重要な前記レイアウト形状の各々の周囲に、単一の基本形状を形成するステップを有することを特徴とする請求項２４に記載の方法。
【請求項２７】
ポジティブ・レジスト処理が用いられていて、
複数の前記公差域の各々を分割する前記ステップが、複数の重要な前記レイアウト形状の各々の周囲に、概ね形状が類似している基本形状セットを形成するステップを有することを特徴とする請求項２４に記載の方法。
【請求項２８】
前記作業が、リソグラフィー・レチクルを検査するステップを有していて、
前記リソグラフィー・レチクルを検査する前記ステップが、
精密検査の第１レベルに従って、複数の前記近接効果ハロー領域及び複数の前記厳しい公差付レイアウト形状に対応する前記リソグラフィー・レチクルの複数部分を検査するステップ（４５０）と、
精密検査の第２レベルに従って、複数の前記近接効果ハロー領域及び複数の前記厳しい公差付レイアウト形状に対応しない前記リソグラフィー・レチクルの複数部分を検査するステップ（４５０）とを有し、
パラメータの前記第１セットが精密検査の前記第１レベルを含み、
パラメータの前記第２セットが精密検査の前記第２レベルを含み、
精密検査の前記第１レベルが、精密検査の前記第２レベルよりもより厳密であることを特徴とする請求項２２に記載の方法。
【請求項２９】
前記作業がリソグラフィー・レチクルを修復するステップを有していて、
前記リソグラフィー・レチクルを修復するステップが、
第１修復処理を用いて、複数の前記近接効果ハロー領域及び複数の前記厳しい公差付レイアウト形状の範囲内にある第１の複数の欠陥を修復するステップ（４６０）と、
第２修復処理を用いて、複数の前記近接効果ハロー領域及び複数の前記厳しい公差付レイアウト形状の範囲内にない第２の複数の欠陥を修復するステップ（４６０）とを有し、
パラメータの前記第１セットが前記第１修復処理を含み、
パラメータの前記第２セットが前記第２修復処理を含み、
前記第１修復処理が前記第２修復処理よりもより精密であり、前記第２修復処理の方が前記第１修復処理よりもより高速であることを特徴とする請求項２２に記載の方法。
【請求項３０】
前記第１修復処理が、集束イオンビーム修復処理を有し、前記第２修復処理が、レーザ修復処理を有することを特徴とする請求項２９に記載の方法。
【請求項３１】
ＩＣレイアウト・データファイルを用いるためのシステムであって、
前記ＩＣレイアウト・データファイル（６２０）を読込み、前記ＩＣレイアウト・データファイル中の複数の厳しい公差付レイアウト形状を特定し、且つ複数の前記厳しい公差付レイアウト形状の各々の周囲に近接効果ハロー領域を画定するように構成された処理モジュール（４１０、４２０、６１４）と、
複数の前記厳しい公差付レイアウト形状、及び複数の前記厳しい公差付レイアウト形状の各々の周囲の複数の前記近接効果ハロー領域に関連する第１作業を実行し、且つ複数の前記厳しい公差付レイアウト形状、及び複数の前記厳しい公差付レイアウト形状の各々の周囲の複数の前記近接効果ハロー領域を含まないＩＣレイアウト・データファイルに関連する第２作業を実行するように構成された作業ツール（６３０、６４０、６５０）とを有し、
前記第１作業と前記第２作業とが異なっていることを特徴とするシステム。
【請求項３２】
複数の前記厳しい公差付形状の各々の周囲の前記近接効果ハロー領域（３３１）が、概ね一定の幅を有することを特徴とする請求項３１に記載のシステム。
【請求項３３】
概ね一定の前記幅は、前記ＩＣレイアウト・データファイルと関連するリソグラフィー処理中で及ぼされる近接効果が特定の閾値レベルよりも低くなっている距離（ｄ）になるように規定されていることを特徴とする請求項３２に記載のシステム。
【請求項３４】
概ね一定の前記幅は、前記ＩＣレイアウト・データファイルと関連するレチクル形成処理中で及ぼされる近接効果が特定の閾値レベルよりも低くなっている距離（ｄ）になるように規定されていることを特徴とする請求項３２に記載のシステム。
【請求項３５】
概ね一定の前記幅は、
前記ＩＣレイアウト・データファイルと関連するリソグラフィー処理中に及ぼされる近接効果が特定の閾値レベルよりも低くなっている第１距離よりも大きく、
且つ、前記ＩＣレイアウト・データファイルと関連するレチクル形成処理中に及ぼされる近接効果が前記特定閾値レベルよりも低くなっている第２距離よりも大きくなるように規定されることを特徴とする請求項３２に記載の方法。
【請求項３６】
複数の前記厳しい公差付レイアウト形状が、複数の光学近接効果補正形状を有することを特徴とする請求項３１に記載のシステム。
【請求項３７】
前記処理モジュールが、該処理モジュールへのユーザ入力及び制御を可能にするグラフィカル・ユーザインタフェース（ＧＵＩ）を提供するように構成されたグラフィカル・ディスプレイ（６１２）を更に有することを特徴とする請求項３１に記載のシステム。
【請求項３８】
前記処理モジュールが、パーソナル・コンピュータ（６１４）を有することを特徴とする請求項３１に記載のシステム。
【請求項３９】
ＬＡＮ（ｌｏｃａｌ ａｒｅａ ｎｅｔｗｏｒｋ）を介して、遠隔のデータベースから前記ＩＣレイアウト・データファイルを受信するように、前記処理モジュールが接続されていることを特徴とする請求項３１に記載のシステム。
【請求項４０】
ＷＡＮ（ｗｉｄｅ ａｒｅａ ｎｅｔｗｏｒｋ）を介して、遠隔のデータベースから前記ＩＣレイアウト・データファイルを受信するように、前記処理モジュールが接続されていることを特徴とする請求項３１に記載のシステム。
【請求項４１】
前記作業ツールが、レチクル書込みツール（６３０）を有することを特徴とする請求項３１に記載のシステム。
【請求項４２】
前記処理モジュールが、ＬＡＮ（ｌｏｃａｌ ａｒｅａ ｎｅｔｗｏｒｋ）を介して、前記レチクル書込みツールにレチクル・データファイルを送信するように構成されていることを特徴とする請求項４１に記載のシステム。
【請求項４３】
前記処理モジュールが、ＷＡＮ（ｗｉｄｅ ａｒｅａ ｎｅｔｗｏｒｋ）を介して、前記レチクル書込みツールにレチクル・データファイルを送信するように構成されていることを特徴とする請求項４１に記載のシステム。
【請求項４４】
前記作業ツールが、レチクル検査ツール（６４０）を有することを特徴とする請求項３１に記載のシステム。
【請求項４５】
前記作業ツールが、レチクル修復ツール（６５０）を有することを特徴とする請求項３１に記載のシステム。
【国際調査報告】
2004511013.tif 000051
2004511013.tif 000052